(57)【要約】【課題】現在受信中の放送局が提供するサービスと同一のサービスの提供をできるだけ長く受け続けることができるように、切り替え先の他の放送局の選択を適切に行うことができる「放送受信装置および受信局切替制御方法」を提供する。【解決手段】現在受信中の一の放送局が提供するサービスと同一のサービスを提供する複数の他の放送局の各々について、過去の所定期間内においてリンク先として有効であった期間の長さが長いほど高くなる優先順位を決定する優先順位決定部１１４と、所定の切り替えタイミングで、優先順位の高い他の放送局を優先的に選択し、放送受信部１０１が放送を受信する放送局を、選択した他の放送局に切り替える切替制御部１１５とを備えることにより、過去の統計値に基づいて、現在受信中の放送局が提供するサービスと同一のサービスを、比較的長い時間継続して提供する可能性がより高い他の放送局に切り替えられるようにする。【選択図】図１
2017079453.tif 000002
【特許請求の範囲】
【請求項１】
複数の放送局の中から選択された一の放送局から放送を受信する放送受信部と、
前記一の放送局が提供するサービスと同一のサービスを提供する複数の他の放送局を特定する放送局特定部と、
前記放送局特定部によって特定された前記複数の他の放送局の各々について、過去の所定期間内においてリンク先として有効であった期間の長さを特定し、当該期間の長さが長いほど高くなる優先順位を決定する優先順位決定部と、
所定の切り替えタイミングで、前記優先順位決定部によって決定された優先順位の高い前記他の放送局を優先的に選択し、前記放送受信部が放送を受信する放送局を、選択した前記他の放送局に切り替える切り替え制御部と
を備えることを特徴とする放送受信装置。
【請求項２】
前記優先順位決定部は、前記リンク先として有効であった期間の長さが同じである複数の他の放送局が存在する場合、これら複数の他の放送局に関しては、前記所定期間内におけるリンク先として有効であった期間と無効であった期間との間の切り替え回数を特定し、当該回数が少ないほど高くなる優先順位を決定する
ことを特徴とする請求項１に記載の放送受信装置。
【請求項３】
前記所定のタイミングが到来する前に、
前記放送局特定部は、前記一の放送局が提供するサービスと同一のサービスを提供する複数の他の放送局を特定しておく
ことを特徴とする請求項１に記載の放送受信装置。
【請求項４】
前記所定のタイミングが到来する前に、
前記放送局特定部は、前記一の放送局が提供するサービスと同一のサービスを提供する複数の他の放送局を特定しておき、
前記優先順位決定部は、前記放送局特定部によって特定された前記複数の他の放送局の各々について、前記優先順位を決定しておく
ことを特徴とする請求項１に記載の放送受信装置。
【請求項５】
複数の放送局の中から選択された一の放送局から放送を受信する放送受信部と、
前記一の放送局が提供するサービスと同一のサービスを提供する複数の他の放送局を特定する放送局特定部と、
前記放送局特定部によって特定された前記複数の他の放送局の各々について、過去の所定期間内におけるリンク先として有効であった期間と無効であった期間との間の切り替え回数を特定し、当該回数が少ないほど高くなる優先順位を決定する優先順位決定部と、
所定の切り替えタイミングで、前記優先順位決定部によって決定された優先順位の高い前記他の放送局を優先的に選択し、前記放送受信部が放送を受信する放送局を、選択した前記他の放送局に切り替える切り替え制御部と
を備えることを特徴とする放送受信装置。
【請求項６】
前記優先順位決定部は、前記切り替え回数が同じである複数の他の放送局が存在する場合、これら複数の他の放送局に関しては、前記所定期間内においてリンク先として有効であった期間の長さを特定し、当該期間の長さが長いほど高くなる優先順位を決定する
ことを特徴とする請求項５に記載の放送受信装置。
【請求項７】
前記所定のタイミングが到来する前に、
前記放送局特定部は、前記一の放送局が提供するサービスと同一のサービスを提供する複数の他の放送局を特定しておく
ことを特徴とする請求項５に記載の放送受信装置。
【請求項８】
前記所定のタイミングが到来する前に、
前記放送局特定部は、前記一の放送局が提供するサービスと同一のサービスを提供する複数の他の放送局を特定しておき、
前記優先順位決定部は、前記放送局特定部によって特定された前記複数の他の放送局の各々について、前記優先順位を決定しておく
ことを特徴とする請求項５に記載の放送受信装置。
【請求項９】
放送受信装置の放送受信部が、複数の放送局の中から選択された一の放送局から放送を受信する放送受信工程と、
前記放送受信装置の放送局特定部が、前記一の放送局が提供するサービスと同一のサービスを提供する複数の他の放送局を特定する放送局特定工程と、
前記放送受信装置の優先順位決定部が、前記放送局特定工程にて特定された前記複数の他の放送局の各々について、過去の所定期間内においてリンク先として有効であった期間の長さを特定し、当該期間の長さが長いほど高くなる優先順位を決定する優先順位決定工程と、
前記放送受信装置の切り替え制御部が、所定の切り替えタイミングで、前記優先順位決定工程にて決定された優先順位の高い前記他の放送局を優先的に選択し、前記放送受信部が放送を受信する放送局を、選択した前記他の放送局に切り替える切り替え制御工程と
を含むことを特徴とする受信局切替制御方法。
【請求項１０】
放送受信装置の放送受信部が、複数の放送局の中から選択された一の放送局から放送を受信する放送受信工程と、
前記放送受信装置の放送局特定部が、前記一の放送局が提供するサービスと同一のサービスを提供する複数の他の放送局を特定する放送局特定工程と、
前記放送受信装置の優先順位決定部が、前記放送局特定工程にて特定された前記複数の他の放送局の各々について、過去の所定期間内におけるリンク先として有効であった期間と無効であった期間との間の切り替え回数を特定し、当該回数が少ないほど高くなる優先順位を決定する優先順位決定工程と、
前記放送受信装置の切り替え制御部が、所定の切り替えタイミングで、前記優先順位決定工程にて決定された優先順位の高い前記他の放送局を優先的に選択し、前記放送受信部が放送を受信する放送局を、選択した前記他の放送局に切り替える切り替え制御工程と
を含むことを特徴とする受信局切替制御方法。
【発明の詳細な説明】
【技術分野】
【０００１】
本発明は、放送受信装置および受信局切替制御方法に関し、特に、同一のサービスを提供している複数の放送局の中から選択された一の放送局から放送を受信するようになされた放送受信装置および当該放送受信装置による受信局切替制御方法に用いて好適なものである。
【背景技術】
【０００２】
従来、放送規格の一つとして利用されているＤＡＢ（Digital Audio Broadcast）では、放送受信装置が現在受信中の放送局と同一のサービスを提供している他の放送局が存在している場合がある。この場合、放送受信装置は、現在受信中の放送局の受信状況が悪化した場合でも、同一のサービスを提供している他の放送局への受信に切り替えることにより、同一のサービス（すなわち、同じ内容の放送）の提供を受け続けることができるようになっている。
【０００３】
例えば、下記特許文献１には、ＤＡＢ放送を受信する放送受信装置において、サービスの受信の際に得られるサービスＩＤおよび各サービスの放送に使用される周波数の情報を記憶しておき、あるサービスの受信状態が悪化した場合に、そのサービスのサービスＩＤと対応付けて記憶されている周波数により、そのサービスを継続するようにした技術が開示されている。ここで、放送受信装置は、ＤＡＢフレームデータ内のサービス・リンキング情報を参照し、現在受信中のサービスと同一のサービスのＩＤおよび代替周波数を特定することができるようになっている。また、サービス・リンキング情報に含まれているＬＡ（Linkage Actuator）が「１」の場合には、そのサービスがリンク先として現在有効であると判断し、ＬＡが「０」の場合には、そのサービスがリンク先として現在無効であると判断するようになっている。
【０００４】
また、下記特許文献２には、ＲＤＳ（Radio Data System）データを受信できる車載用ラジオ受信機において、ある放送局の受信状態が悪化した場合に、その放送局より送られてくるＡＦ（Alternative Frequency）リストに示されている放送局のうち、電界強度が所定レベル以上であり、且つ、現在受信中の放送局とＰＩ（Program Identification）コードが同じである放送局に受信周波数を切り替えることにより、引き続き同一の放送プログラムを聴取できるようにした技術が開示されている。
【先行技術文献】
【特許文献】
【０００５】
【特許文献１】特開２００４−４０３８６号公報
【特許文献２】特開平８−３０７２１５号公報
【発明の概要】
【発明が解決しようとする課題】
【０００６】
しかしながら、放送局によっては、現在受信中の放送局が提供しているサービスと同じサービスを提供してる状態（ＬＡフラグに「１（有効）」が設定されている状態）から、別のサービスを提供している状態（ＬＡフラグに「０（無効）」が設定されている状態）に切り替わる場合がある。このため、従来、現在受信中の放送局が提供しているサービスと同じサービスの提供を受けるために、このサービスを提供している他の放送局への切り替えを行ったにも関わらず、切り替えた時点で既に他のサービスに変わってしまっていたり、同じサービスを長い間受け続けることができなかったりするといった問題が生じていた。
【０００７】
図７は、従来の放送受信装置による放送局の切り替え処理の一例を示す図である。図７に示す例では、従来の放送受信装置において、現在受信中の放送局が「放送局Ａ」であり、切り替え先の候補となる他の放送局として「放送局Ｂ」，「放送局Ｃ」，「放送局Ｄ」が検出されている。
【０００８】
ここで、現在受信中の「放送局Ａ」の受信状況が悪化したタイミングｔ１において、「放送局Ｂ」，「放送局Ｃ」，「放送局Ｄ」から提供されているサービスは、いずれも「放送局Ａ」から提供されている「サービス１」と同じ「サービス１」である。このため、放送受信装置は、「放送局Ｂ」，「放送局Ｃ」，「放送局Ｄ」のいずれに切り替えた場合も、同一のサービスである「サービス１」の提供を受け続けることができると判断する。
【０００９】
このような判断に基づき、例えば、その後のタイミングｔ２において、「放送局Ｂ」に切り替えた場合、その時点で「放送局Ｂ」から提供されるサービスは既に「サービス２」に切り替わっている。このため、放送受信装置は、「放送局Ｂ」に切り替えてしまうと、引き続き「サービス１」の提供を受けることができない。
【００１０】
また、タイミングｔ２において、「放送局Ｄ」に切り替えた場合、その時点では「放送局Ｄ」から提供されるサービスは未だ「サービス１」である。このため、放送受信装置は、「放送局Ｄ」に切り替えれば、引き続き「サービス１」の提供を受けることができる。しかしながら、その切り替え後、「放送局Ｄ」から提供されるサービスは、すぐに「サービス３」に切り替わってしまう。このため、放送受信装置は、引き続き「サービス１」の提供を受けることができない。
【００１１】
なお、「放送局Ｃ」は、タイミングｔ２以降も継続して「サービス１」を提供している。このため、この例では、放送受信装置は、タイミングｔ２において「放送局Ｃ」に切り替えることが好ましい。しかしながら、従来の放送受信装置は、「放送局Ｃ」が継続して「サービス１」を提供することを考慮せずに、放送局Ｂ〜Ｄの中から受信状況が最も良い放送局を選ぶため、「放送局Ｃ」を選択するとは限らない。
【００１２】
本発明は、このような問題を解決するために成されたものであり、現在受信中の放送局が提供するサービスと同一のサービスの提供をできるだけ長く受け続けることができるように、切り替え先の他の放送局の選択を適切に行うことができるようにすることを目的とする。
【課題を解決するための手段】
【００１３】
上記した課題を解決するために、本発明では、現在受信中の一の放送局が提供するサービスと同一のサービスを提供する複数の他の放送局を特定し、特定された複数の他の放送局の各々について、過去の所定期間内においてリンク先として有効であった期間の長さを特定して、当該期間の長さが長いほど高くなる優先順位を決定し、所定の切り替えタイミングで、決定された優先順位の高い他の放送局を優先的に選択し、放送を受信する放送局を、選択した他の放送局に切り替えるようにしている。
【００１４】
また、本発明の他の形態では、現在受信中の一の放送局が提供するサービスと同一のサービスを提供する複数の他の放送局を特定し、特定された複数の他の放送局の各々について、過去の所定期間内におけるリンク先として有効であった期間と無効であった期間との間の切り替え回数を特定し、当該回数が少ないほど高くなる優先順位を決定し、所定の切り替えタイミングで、決定された優先順位の高い他の放送局を優先的に選択し、放送を受信する放送局を、選択した他の放送局に切り替えるようにしている。
【発明の効果】
【００１５】
上記のように構成した本発明によれば、例えば、現在受信中の放送局の受信状況が悪化する等の所定の切り替えタイミングにおいて、過去の統計値に基づいて、現在受信中の放送局が提供するサービスと同一のサービスを比較的長い時間継続して提供する可能性がより高い他の放送局が優先的に選択され、選択された他の放送局に切り替えられるようになる。このため、本発明によれば、現在受信中の放送局が提供するサービスと同一のサービスの提供をできるだけ長く受け続けることができるように、切り替え先の他の放送局の選択を適切に行うことができる。
【図面の簡単な説明】
【００１６】
【図１】本発明の第１実施形態に係る放送受信装置の機能構成例を示すブロック図である。
【図２】本発明の第１実施形態に係る放送受信装置による処理の一例を示すフローチャートである。
【図３】本発明の第１実施形態に係る放送受信装置による受信局切り替え処理の具体例を示す図である。
【図４】本発明の第２実施形態に係る放送受信装置の機能構成例を示すブロック図である。
【図５】本発明の第２実施形態に係る放送受信装置による処理の一例を示すフローチャートである。
【図６】本発明の第２実施形態に係る放送受信装置による受信局切り替え処理の具体例を示す図である。
【図７】従来の放送受信装置による切り替え処理の一例を示す図である。
【発明を実施するための形態】
【００１７】
以下、本発明の一実施形態を図面に基づいて説明する。図１は、本発明の第１実施形態に係る放送受信装置１０の機能構成例を示すブロック図である。図１に示す放送受信装置１０は、ＤＡＢ放送を受信して、ＤＡＢ放送の音声データをスピーカ１２から出力させることが可能な装置である。
【００１８】
図１に示すように、放送受信装置１０は、放送受信部１０１、復調部１０２、出力制御部１０３および受信局切替処理部１１０を備えている。受信局切替処理部１１０は、放送局特定部１１１、有効期間算出部１１２、切替回数算出部１１３、優先順位決定部１１４および切替制御部１１５を備えている。
【００１９】
上記各機能ブロック１０１〜１０３，１１１〜１１５は、ハードウェア、ＤＳＰ（Digital Signal Processor）、ソフトウェアの何れによっても構成することが可能である。例えばソフトウェアによって構成する場合、上記各機能ブロック１０１〜１０３，１１１〜１１５は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２０】
放送受信部１０１は、ＤＡＢ放送を受信可能な複数の放送局の中から選択された一の放送局から、ＤＡＢ放送の放送波を受信する。復調部１０２は、放送受信部１０１によって受信されたＤＡＢ放送の放送波を復調する。出力制御部１０３は、放送受信部１０１によって受信されたＤＡＢ放送の放送波（復調部１０２による復調後のＤＡＢ放送の放送波）から抽出した音声データ（すなわち、上記一の放送局から提供されたサービスの音声データ）を出力する。出力制御部１０３が出力した音声データは、アンプ１１によって増幅され、スピーカ１２から音声出力されることとなる。
【００２１】
放送局特定部１１１は、放送受信部１０１が現在受信中の一の放送局が提供するサービスと同一のサービスを提供する複数の他の放送局（以下、「代替局」と示す）を特定する。例えば、放送局特定部１１１は、復調部１０２から出力されたＤＡＢフレームデータから抽出されたサービス・リンキング情報を参照することにより、現在受信中の一の放送局が提供するサービスと同一のサービスを提供する代替局を特定する。
【００２２】
有効期間算出部１１２は、放送局特定部１１１によって特定された複数の代替局の各々について、過去の所定期間内においてリンク先として有効であった期間の長さ（以下、「リンク先有効期間長」と示す）を算出する。例えば、有効期間算出部１１２は、上記複数の代替局の各々について、所定期間の間、ＬＡフラグを一定の周期でサンプリングする。そして、有効期間算出部１１２は、上記複数の代替局の各々について、所定期間内にサンプリングした複数のＬＡフラグに基づいて、所定期間におけるＬＡフラグが「１（有効）」である期間の合計長を、リンク先有効期間長として算出する。
【００２３】
切替回数算出部１１３は、放送局特定部１１１によって特定された複数の代替局の各々について、過去の所定期間内におけるリンク先として有効であった期間と無効であった期間との間の切り替え回数（以下、「リンク先有効／無効切り替え回数」と示す）を算出する。例えば、切替回数算出部１１３は、上記複数の代替局の各々について、所定期間の間、ＬＡフラグを一定の周期でサンプリングする。そして、切替回数算出部１１３は、上記複数の代替局の各々について、所定期間内にサンプリングした複数のＬＡフラグに基づいて、所定期間においてＬＡフラグの値が「１（有効）」と「０（無効）」との間で切り替わった回数を、リンク先有効／無効切り替え回数として算出する。
【００２４】
優先順位決定部１１４は、放送局特定部１１１によって特定された複数の代替局の各々について、有効期間算出部１１２によって算出されたリンク先有効期間長が長いほど高くなる優先順位を決定する。ここで、リンク先有効期間長が同じである複数の代替局が存在する場合、優先順位決定部１１４は、これら複数の代替局に関しては、切替回数算出部１１３によって算出されたリンク先有効／無効切り替え回数が少ないほど高くなる優先順位を決定する。さらに、リンク先有効／無効切り替え回数が同じである複数の代替局が存在する場合、これら複数の代替局に関しては、優先順位決定部１１４は、受信状況が良好であるほど高くなる優先順位を決定する。
【００２５】
すなわち、この第１実施形態では、有効期間算出部１１２によるリンク先有効期間長の算出処理は必須であるが、切替回数算出部１１３によるリンク先有効／無効切り替え回数の算出処理は、リンク先有効期間長が同じである複数の代替局が存在する場合のみ行えばよい。
【００２６】
切替制御部１１５は、放送受信部１０１が現在受信中の放送局の受信状況が悪化したタイミング（放送波の受信レベルが所定の閾値を下回ったタイミング）で、放送局特定部１１１によって特定された複数の代替局の中から、優先順位決定部１１４によって決定された優先順位の高い代替局を優先的に選択し、放送受信部１０１が放送を受信する放送局を、選択した代替局に切り替える。
【００２７】
〔放送受信装置１０による処理の一例〕
図２は、本発明の第１実施形態に係る放送受信装置１０による処理の一例を示すフローチャートである。図２に示す処理は、例えば、放送受信装置１０の電源がＯＮに切り替えられたときに実行される。
【００２８】
まず、放送受信部１０１が、ＤＡＢ放送を受信可能な複数の放送局の中から選択された一の放送局から、ＤＡＢ放送の放送波を受信する（ステップＳ２０２）。次に、復調部１０２が、放送受信部１０１によって受信されたＤＡＢ放送の放送波を復調する（ステップＳ２０４）。そして、出力制御部１０３が、復調部１０２によって復調された放送波から抽出した音声データを出力する（ステップＳ２０６）。
【００２９】
続いて、放送局特定部１１１が、放送受信部１０１が現在受信中である放送局が提供するサービスと同一のサービスを提供する複数の代替局を特定する（ステップＳ２０８）。このとき、有効期間算出部１１２は、ステップＳ２０８で特定された各代替局について、ＬＡフラグのサンプリングおよび記憶を開始する。そして、有効期間算出部１１２が、ステップＳ２０８で特定された複数の代替局の各々について、リンク先有効期間長を算出する（ステップＳ２１０）。さらに、優先順位決定部１１４が、ステップＳ２０８で特定された複数の代替局の各々について、ステップＳ２１０で算出されたリンク先有効期間長が長いほど高くなる優先順位を決定する（ステップＳ２１２）。
【００３０】
このとき、優先順位決定部１１４は、リンク先有効期間長が同じである複数の代替局が存在するか否かを判断する（ステップＳ２１４）。ここで、リンク先有効期間長が同じである複数の代替局が存在しないと優先順位決定部１１４が判断した場合（ステップＳ２１４：Ｎｏ）、放送受信装置１０は、ステップＳ２２４へ処理を進める。
【００３１】
一方、リンク先有効期間長が同じである複数の代替局が存在すると優先順位決定部１１４が判断した場合（ステップＳ２１４：Ｙｅｓ）、切替回数算出部１１３が、これら複数の代替局の各々について、リンク先有効／無効切り替え回数を算出する（ステップＳ２１６）。そして、優先順位決定部１１４が、これら複数の代替局の各々について、ステップＳ２１６で算出されたリンク先有効／無効切り替え回数が少ないほど高くなる優先順位を決定する（ステップＳ２１８）。
【００３２】
このとき、優先順位決定部１１４は、リンク先有効／無効切り替え回数が同じである複数の代替局が存在するか否かを判断する（ステップＳ２２０）。ここで、リンク先有効／無効切り替え回数が同じである複数の代替局が存在しないと優先順位決定部１１４が判断した場合（ステップＳ２２０：Ｎｏ）、放送受信装置１０は、ステップＳ２２４へ処理を進める。一方、リンク先有効／無効切り替え回数が同じである複数の代替局が存在すると優先順位決定部１１４が判断した場合（ステップＳ２２０：Ｙｅｓ）、優先順位決定部１１４は、これら複数の代替局の各々について、受信状況が良好であるほど高くなる優先順位を決定する（ステップＳ２２２）。そして、放送受信装置１０は、ステップＳ２２４へ処理を進める。
【００３３】
ステップＳ２２４では、受信局切替処理部１１０が、放送受信部１０１が現在受信中である放送局の受信レベルが所定の閾値を下回った否かを判断する。ここで、放送受信部１０１が現在受信中である放送局の受信レベルが所定の閾値を下回っていないと受信局切替処理部１１０が判断した場合（ステップＳ２２４：Ｎｏ）、放送受信装置１０は、ステップＳ２０２以降の処理を再度実行する。
【００３４】
一方、放送受信部１０１が現在受信中である放送局の受信レベルが所定の閾値を下回ったと受信局切替処理部１１０が判断した場合（ステップＳ２２４：Ｙｅｓ）、切替制御部１１５が、ステップＳ２１２、ステップＳ２１８およびステップＳ２２２で決定された優先順位の高い代替局を優先的に選択し、放送受信部１０１が放送を受信する放送局を、選択した代替局に切り替える（ステップＳ２２６）。そして、放送受信装置１０は、図２に示す一連の処理を終了する。
【００３５】
〔受信局切り替え処理の具体例〕
図３は、本発明の第１実施形態に係る放送受信装置１０による受信局切り替え処理の具体例を示す図である。
【００３６】
図３（ａ）は、放送局ａ〜ｄの各々について、有効期間算出部１１２が所定期間内に一定の周期でサンプリングしたＬＡフラグの一例を示す。放送局ａ〜ｄは、現在受信中の放送局が提供するサービスと同一のサービスを提供する代替局である。ここでは、所定期間内におけるＬＡフラグのサンプリング回数を３０回としているが、これに限らない。
【００３７】
図３（ａ）に示すように複数のＬＡフラグのサンプリングがなされた場合、有効期間算出部１１２は、放送局ａ〜ｄの各々について、サンプリングした複数のＬＡフラグに基づいて、所定期間におけるＬＡフラグが「１（有効）」である期間の合計長を、リンク先有効期間長として算出する。例えば、図３（ａ）のサンプリング結果によれば、放送局ａ，ｂ，ｃ，ｄのリンク先有効期間長は、図３（ｂ）に示すように、それぞれ、「２０」，「２０」，「１６」，「１６」となる。
【００３８】
このように、有効期間算出部１１２によって各放送局ａ〜ｄのリンク先有効期間長が算出されると、優先順位決定部１１４は、放送局ａ〜ｄの各々について、算出されたリンク先有効期間長が長いほど高くなる優先順位を決定する。
【００３９】
但し、放送局ａ，ｂは、リンク先有効期間長が同じ「２０」である。また、放送局ｃ，ｄは、リンク先有効期間長が同じ「１６」である。このように、複数の放送局においてリンク先有効期間長が同じである場合、切替回数算出部１１３が、図３（ａ）に示すサンプリング結果に基づいて、これら複数の放送局について、リンク先有効／無効切り替え回数を算出する。そして、優先順位決定部１１４は、これら複数の放送局について、切替回数算出部１１３によって算出されたリンク先有効／無効切り替え回数に基づいて、当該リンク先有効／無効切り替え回数が少ないほど高くなる優先順位を決定する。
【００４０】
例えば、図３（ａ）のサンプリング結果によれば、放送局ａのリンク先有効／無効切り替え回数は「３」である。一方、放送局ｂのリンク先有効／無効切り替え回数は「７」である。したがって、優先順位決定部１１４は、放送局ａの優先順位を「１」と決定し、放送局ｂの優先順位を「２」と決定する。
【００４１】
また、図３（ａ）のサンプリング結果によれば、放送局ｃのリンク先有効／無効切り替え回数は「３」である。一方、放送局ｄのリンク先有効／無効切り替え回数は「１１」である。したがって、優先順位決定部１１４は、放送局ｃの優先順位を「３」と決定し、放送局ｂの優先順位を「４」と決定する。
【００４２】
なお、図３に示す例では、放送局ａ〜ｄの各々について優先順位を決定しているが、最も優先順位が高い放送局（図３に示す例では、放送局ａ）のみを特定するようにしてもよい。また、図３に示す例では、リンク先有効期間長が同じである複数の代替局がある場合のみ、切替回数算出部１１３が、これら複数の代替局についてリンク先有効／無効切り替え回数を算出するようにしているが、リンク先有効期間長が同じである複数の代替局があるか否かに関わらず、切替回数算出部１１３が、全ての代替局についてリンク先有効／無効切り替え回数を予め算出しておくようにしてもよい。また、図３（ｂ）に示すように、リンク先有効期間長が同じである複数の代替局の組み合わせが複数存在する場合には、上位の組み合わせ（図３（ｂ）の例では、放送局ａ，ｂの組み合わせ）のみ、切替回数算出部１１３が、リンク先有効／無効切り替え回数を算出するようにしてもよい。
【００４３】
〔第２実施形態〕
次に、図４〜６を参照して、本発明の第２実施形態について説明する。図４は、本発明の第２実施形態に係る放送受信装置１０’の機能構成例を示すブロック図である。図４に示す放送受信装置１０’は、受信局切替処理部１１０の代わりに、受信局切替処理部１１０’を備えている点で、第１実施形態の放送受信装置１０（図１参照）と異なる。受信局切替処理部１１０’は、有効期間算出部１１２，切替回数算出部１１３，優先順位決定部１１４の代わりに、有効期間算出部１１２’，切替回数算出部１１３’，優先順位決定部１１４’ を備えている点で、受信局切替処理部１１０と異なる。
【００４４】
優先順位決定部１１４’は、放送局特定部１１１によって特定された複数の代替局の各々について、先に、切替回数算出部１１３’によって算出されたリンク先有効／無効切り替え回数に基づいて、当該リンク先有効／無効切り替え回数が少ないほど高くなる優先順位を決定する。
【００４５】
そして、リンク先有効／無効切り替え回数が同じである複数の代替局が存在する場合のみ、優先順位決定部１１４’は、これら複数の代替局について、有効期間算出部１１２’によって算出されたリンク先有効期間長に基づいて、当該リンク先有効期間長が長いほど高くなる優先順位を決定する。
【００４６】
さらに、リンク先有効期間長が同じである複数の代替局が存在する場合、これら複数の代替局に関しては、優先順位決定部１１４’は、受信状況が良好であるほど高くなる優先順位を決定する。
【００４７】
すなわち、この第２実施形態では、切替回数算出部１１３’によるリンク先有効／無効切り替え回数の算出処理は必須であるが、有効期間算出部１１２’によるリンク先有効期間長の算出処理は、リンク先有効／無効切り替え回数が同じである複数の代替局が存在する場合のみ行えばよい。
【００４８】
〔放送受信装置１０’による処理の一例〕
図５は、本発明の第２実施形態に係る放送受信装置１０’による処理の一例を示すフローチャートである。図５に示す処理は、例えば、放送受信装置１０’の電源がＯＮに切り替えられたときに実行される。
【００４９】
まず、放送受信部１０１が、ＤＡＢ放送を受信可能な複数の放送局の中から選択された一の放送局から、ＤＡＢ放送の放送波を受信する（ステップＳ５０２）。次に、復調部１０２が、放送受信部１０１によって受信されたＤＡＢ放送の放送波を復調する（ステップＳ５０４）。そして、出力制御部１０３が、復調部１０２によって復調された放送波から抽出した音声データを出力する（ステップＳ５０６）。
【００５０】
続いて、放送局特定部１１１が、放送受信部１０１が現在受信中である放送局が提供するサービスと同一のサービスを提供する複数の代替局を特定する（ステップＳ５０８）。このとき、切替回数算出部１１３’は、ステップＳ５０８で特定された各代替局について、ＬＡフラグのサンプリングおよび記憶を開始する。そして、切替回数算出部１１３’が、ステップＳ５０８で特定された複数の代替局の各々について、リンク先有効／無効切り替え回数を算出する（ステップＳ５１０）。さらに、優先順位決定部１１４’が、ステップＳ５０８で特定された複数の代替局の各々について、ステップＳ５１０で算出されたリンク先有効／無効切り替え回数が少ないほど高くなる優先順位を決定する（ステップＳ５１２）。
【００５１】
このとき、優先順位決定部１１４’は、リンク先有効／無効切り替え回数が同じである複数の代替局が存在するか否かを判断する（ステップＳ５１４）。ここで、リンク先有効／無効切り替え回数が同じである複数の代替局が存在しないと優先順位決定部１１４’が判断した場合（ステップＳ５１４：Ｎｏ）、放送受信装置１０’は、ステップＳ５２４へ処理を進める。
【００５２】
一方、リンク先有効／無効切り替え回数が同じである複数の代替局が存在すると優先順位決定部１１４’が判断した場合（ステップＳ５１４：Ｙｅｓ）、有効期間算出部１１２’が、これら複数の代替局の各々について、リンク先有効期間長を算出する（ステップＳ５１６）。そして、優先順位決定部１１４’が、これら複数の代替局の各々について、ステップＳ５１６で算出されたリンク先有効期間長が長いほど高くなる優先順位を決定する（ステップＳ５１８）。
【００５３】
このとき、優先順位決定部１１４’は、リンク先有効期間長が同じである複数の代替局が存在するか否かを判断する（ステップＳ５２０）。ここで、リンク先有効期間長が同じである複数の代替局が存在しないと優先順位決定部１１４’が判断した場合（ステップＳ５２０：Ｎｏ）、放送受信装置１０’は、ステップＳ５２４へ処理を進める。一方、リンク先有効期間長が同じである複数の代替局が存在すると優先順位決定部１１４’が判断した場合（ステップＳ５２０：Ｙｅｓ）、優先順位決定部１１４’は、これら複数の代替局の各々について、受信状況が良好であるほど高くなる優先順位を決定する（ステップＳ５２２）。そして、放送受信装置１０’は、ステップＳ５２４へ処理を進める。
【００５４】
ステップＳ５２４では、受信局切替処理部１１０’が、放送受信部１０１が現在受信中である放送局の受信レベルが所定の閾値を下回った否かを判断する。ここで、放送受信部１０１が現在受信中である放送局の受信レベルが所定の閾値を下回っていないと受信局切替処理部１１０’が判断した場合（ステップＳ５２４：Ｎｏ）、放送受信装置１０’は、ステップＳ５０２以降の処理を再度実行する。
【００５５】
一方、放送受信部１０１が現在受信中である放送局の受信レベルが所定の閾値を下回ったと受信局切替処理部１１０’が判断した場合（ステップＳ５２４：Ｙｅｓ）、切替制御部１１５が、ステップＳ５１２、ステップＳ５１８およびステップＳ５２２で決定された優先順位の高い代替局を優先的に選択し、放送受信部１０１が放送を受信する放送局を、選択した代替局に切り替える（ステップＳ５２６）。そして、放送受信装置１０’は、図５に示す一連の処理を終了する。
【００５６】
〔受信局切り替え処理の具体例〕
図６は、本発明の第２実施形態に係る放送受信装置１０’による受信局切り替え処理の具体例を示す図である。
【００５７】
図６（ａ）は、放送局ａ〜ｄの各々について、切替回数算出部１１３’が所定期間内に一定の周期でサンプリングしたＬＡフラグの一例を示す。放送局ａ〜ｄは、現在受信中の放送局が提供するサービスと同一のサービスを提供する代替局である。ここでは、所定期間内におけるＬＡフラグのサンプリング回数を３０回としているが、これに限らない。
【００５８】
図６（ａ）に示すように複数のＬＡフラグのサンプリングがなされた場合、切替回数算出部１１３’は、放送局ａ〜ｄの各々について、サンプリングした複数のＬＡフラグに基づいて、所定期間においてＬＡフラグが「１（有効）」と「０（無効）」との間で切り替わった回数を、リンク先有効／無効切り替え回数として算出する。例えば、図６（ａ）のサンプリング結果によれば、放送局ａ，ｂ，ｃ，ｄのリンク先有効／無効切り替え回数は、図６（ｂ）に示すように、それぞれ、「３」，「７」，「３」，「１１」となる。
【００５９】
このように、切替回数算出部１１３’によって各放送局ａ〜ｄのリンク先有効／無効切り替え回数が算出されると、優先順位決定部１１４’は、放送局ａ〜ｄの各々について、算出されたリンク先有効／無効切り替え回数が少ないほど高くなる優先順位を決定する。
【００６０】
但し、放送局ａ，ｃは、リンク先有効／無効切り替え回数が同じ「３」である。このように、複数の放送局においてリンク先有効／無効切り替え回数が同じである場合、有効期間算出部１１２’が、図６（ａ）に示すサンプリング結果に基づいて、これら複数の放送局について、リンク先有効期間長を算出する。そして、優先順位決定部１１４’は、これら複数の放送局について、有効期間算出部１１２’によって算出されたリンク先有効期間長に基づいて、当該リンク先有効期間長が長いほど高くなる優先順位を決定する。
【００６１】
例えば、図６（ａ）のサンプリング結果によれば、放送局ａのリンク先有効期間長は「２０」である。一方、放送局ｃのリンク先有効期間長は「１６」である。したがって、優先順位決定部１１４’は、放送局ａの優先順位を「１」と決定し、放送局ｃの優先順位を「２」と決定する。
【００６２】
なお、図６に示す例では、放送局ａ〜ｄの各々について優先順位を決定しているが、最も優先順位が高い放送局（図６に示す例では、放送局ａ）のみを特定するようにしてもよい。また、図６に示す例では、リンク先有効／無効切り替え回数が同じである複数の代替局がある場合のみ、有効期間算出部１１２’が、これら複数の代替局についてリンク先有効期間長を算出するようにしているが、リンク先有効／無効切り替え回数が同じである複数の代替局があるか否かに関わらず、有効期間算出部１１２’が、全ての代替局についてリンク先有効期間長を予め算出しておくようにしてもよい。また、リンク先有効／無効切り替え回数が同じである複数の代替局の組み合わせが複数存在する場合には、上位の組み合わせのみ、有効期間算出部１１２’が、リンク先有効期間長を算出するようにしてもよい。
【００６３】
以上説明したとおり、本発明の実施形態によれば、現在受信中の放送局の受信状況が悪化した場合、過去の統計値（リンク先有効期間長およびリンク先有効／無効切り替え回数）に基づいて、現在受信中の放送局が提供するサービスと同一のサービスを比較的長い時間継続して提供する可能性がより高い代替局が優先的に選択され、選択された代替局に切り替えられるようになる。このため、本発明の実施形態によれば、現在受信中の放送局が提供するサービスと同一のサービスの提供をできるだけ長く受け続けることができるように、切り替え先の代替局の選択を適切に行うことができる。
【００６４】
なお、上記各実施形態では、各放送局についてのリンク先有効期間長およびリンク先有効／無効切り替え回数を、所定期間内にサンプリングした複数のＬＡフラグに基づいて算出するようにしているが、本発明はこれに限らない。
【００６５】
また、上記各実施形態では、ＤＡＢ放送を受信する放送受信装置に本発明を適用する例を説明したが、本発明はこれに限らない。すなわち、ＤＡＢ放送以外の他の規格の放送を受信する放送受信装置（但し、少なくとも、代替局への切り替えが可能であり、且つ、各代替局のリンク先有効期間長およびリンク先有効／無効切り替え回数を算出可能に構成されているもの）に、本発明を適用するようにしてもよい。
【００６６】
上記各実施形態では、所定のタイミング（現在受信中の放送局の受信レベルが所定の閾値を下回ったタイミング）が到来する前に、放送局特定部１１１が、複数の代替局を特定し、有効期間算出部１１２，１１２’および切替回数算出部１１３，１１３’が、ＬＡフラグのサンプリングを行い、優先順位決定部１１４，１１４’が、各代替局の優先順位を決定しておくようにしているが、本発明はこれに限らない。例えば、所定のタイミングが到来する前に、放送局特定部１１１が、複数の代替局を特定し、有効期間算出部１１２，１１２’および切替回数算出部１１３，１１３’が、ＬＡフラグのサンプリングを行い、所定のタイミングが到来した後に、優先順位決定部１１４，１１４’が、各代替局の優先順位を決定するようにしてもよい。
【００６７】
その他、上記各実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６８】
１０，１０’  放送受信装置
１１  アンプ
１２  スピーカ
１０１  放送受信部
１０２  復調部
１０３  出力制御部
１１０，１１０’  受信局切替処理部
１１１  放送局特定部
１１２，１１２’  有効期間算出部
１１３，１１３’  切替回数算出部
１１４，１１４’  優先順位決定部
１１５  切替制御部
【図１】
2017079453.tif 000003
【図２】
2017079453.tif 000004
【図３】
2017079453.tif 000005
【図４】
2017079453.tif 000006
【図５】
2017079453.tif 000007
【図６】
2017079453.tif 000008
【図７】
2017079453.tif 000009